(57)【要約】【課題】少ない部材点数でもルーバー本体を回動させることができるルーバー装置、並びに上下のルーバー本体同士の間に異物が入り込んでも支障なく透過光量調整動作を行うことができるルーバー装置を提供する。【解決手段】ルーバー装置１０は、長手方向を上下方向として窓開口２の外面に沿って水平片４Ｊ，４Ｋ間に多列に配置されたルーバー本体１２と、各ルーバー本体１２に固設された支軸１４と、該支軸１４を介して各ルーバー本体１２を回動させる回動用駆動装置１６とを備えている。駆動装置１６は、モータ３６と、駆動ギヤ３６ｂと、該駆動ギヤ３６ｂが噛合したラック３０と、各支軸１４に固着されており、それぞれ該ラック３０に噛合したピニオン３４とを備えている。モータ３６の駆動力によって駆動ギヤ３６ｂが回動し、該駆動ギヤ３６ｂと噛合したラック３０が左右方向に移動することにより、該ラック３０と噛合したピニオン３４を介して各支軸１４が互いに同調しつつ回動する。【選択図】図４
2005213978.tif 000002
【特許請求の範囲】
【請求項１】
複数本のルーバー本体が長手方向を平行にして配置されており、各ルーバー本体が支軸を回動中心として回動可能となっているルーバー装置において、
各ルーバー本体にそれぞれ支軸が固定されており、該支軸を介して回動用駆動装置により各ルーバー本体を回動させ得るように構成したことを特徴とするルーバー装置。
【請求項２】
複数本のルーバー本体が長手方向を平行にして且つ相互間に間隔をあけて配列されてなるルーバー本体配列体を有するルーバー装置において、
該ルーバー本体配列体として、第１のルーバー本体配列体とその背後側の第２のルーバー本体配列体とが各々のルーバー本体の長手方向を平行にして設置されており、
第１及び第２のルーバー本体配列体のうちの少なくとも一方は、他方のルーバー本体配列体に沿ってルーバー本体の長手方向と交叉方向に移動可能であり、該一方のルーバー本体配列体のルーバー本体が他方のルーバー本体配列体の前記間隔に重なった位置とそこから退避した位置とをとりうるように構成されていることを特徴とするルーバー装置。
【請求項３】
請求項２において、ルーバー本体配列体を移動させる移動装置として、
ルーバー本体の長手方向と略直交方向に延在し、各ルーバー本体が取り付けられている棒状体と、
該棒状体を移動させる移動用駆動装置と、
を備えたことを特徴とするルーバー装置。
【請求項４】
請求項３において、該移動用駆動装置は、
該棒状体の長手方向の両端部にそれぞれ設けられた雄ネジと、
各雄ネジに対しそれぞれ螺合した雌ネジ部材と、
該雌ネジ部材を回動させる回動装置と、
を備えたことを特徴とするルーバー装置。
【請求項５】
請求項３又は４において、該棒状体に対し張力を与える張力付与機構を備えたことを特徴とするルーバー装置。
【発明の詳細な説明】
【技術分野】
【０００１】
本発明は、日除け作用を奏するルーバー装置に係り、特にルーバー本体相互間を透過する光量を調節しうるよう構成されたルーバー装置に関する。
【背景技術】
【０００２】
ルーバー本体相互間の間隔を調節しうるルーバー装置として特開２００３−１４８０６７号公報に記載のものがある。同号では、方形のフレーム内にルーバー本体たる可動翼を水平且つ上下多段に配置している。各可動翼は、その両端が支軸を介してフレームに対し回動可能に軸承されている。ルーバーの背後側に上下方向に連動棒が配置され、この連動棒に連結ピンを介して各可動翼の後縁側が連結されている。この連動棒を上下させることにより、各可動翼を水平姿勢としたり傾斜姿勢とすることができる。各可動翼を水平姿勢とすれば、可動翼間の間隙が広がり、傾斜姿勢とすれば可動翼間の間隙が狭くなる。
【特許文献１】特開２００３−１４８０６７号公報
【発明の開示】
【発明が解決しようとする課題】
【０００３】
上記特開２００３−１４８０６７号公報では、可動翼を傾斜させるために連動棒と連結ピンとが必要であり、部材点数が多い。
【０００４】
本発明は、少ない部材点数でもルーバー本体を回動させることができるルーバー装置を提供することを第１の目的とする。
【０００５】
また、上記特開２００３−１４８０６７号公報では、上下の可動翼同士の間に異物が入り込んだ場合に可動翼間の間隙を狭くすることができなくなる。
【０００６】
本発明は、上下のルーバー本体同士の間に異物が入り込んでも支障なく透過光量調整動作を行うことができるルーバー装置を提供することを第２の目的とする。
【課題を解決するための手段】
【０００７】
本発明（請求項１）のルーバー装置は、複数本のルーバー本体が長手方向を平行にして配置されており、各ルーバー本体が支軸を回動中心として回動可能となっているルーバー装置において、各ルーバー本体にそれぞれ支軸が固定されており、該支軸を介して回動用駆動装置により各ルーバー本体を回動させ得るように構成したことを特徴とするものである。
【０００８】
本発明（請求項２）のルーバー装置は、複数本のルーバー本体が長手方向を平行にして且つ相互間に間隔をあけて配列されてなるルーバー本体配列体を有するルーバー装置において、該ルーバー本体配列体として、第１のルーバー本体配列体とその背後側の第２のルーバー本体配列体とが各々のルーバー本体の長手方向を平行にして設置されており、第１及び第２のルーバー本体配列体のうちの少なくとも一方は、他方のルーバー本体配列体に沿ってルーバー本体の長手方向と交叉方向に移動可能であり、該一方のルーバー本体配列体のルーバー本体が他方のルーバー本体配列体の前記間隔に重なった位置とそこから退避した位置とをとりうるように構成されていることを特徴とするものである。
【０００９】
本発明（請求項３）のルーバー装置は、請求項２において、ルーバー本体配列体を移動させる移動装置として、ルーバー本体の長手方向と略直交方向に延在し、各ルーバー本体が取り付けられている棒状体と、該棒状体を移動させる移動用駆動装置とを備えたことを特徴とするものである。
【００１０】
本発明（請求項４）のルーバー装置は、請求項３において、該移動用駆動装置は、該棒状体の長手方向の両端部にそれぞれ設けられた雄ネジと、各雄ネジに対しそれぞれ螺合した雌ネジ部材と、該雌ネジ部材を回動させる回動装置とを備えたことを特徴とするものである。
【００１１】
本発明（請求項５）のルーバー装置は、請求項３又は４において、該棒状体に対し張力を与える張力付与機構を備えたことを特徴とするものである。
【発明の効果】
【００１２】
本発明（請求項１）のルーバー装置にあっては、各ルーバー本体に支軸が固定されており、この支軸を介して駆動装置により各ルーバー本体を回動させ得るようになっているので、各ルーバー本体を回動させるための連動棒と連結ピンとが不要である。これにより、比較的少ない部材点数で各ルーバー本体を回動させることができる。
【００１３】
本発明（請求項２）のルーバー装置にあっては、第１のルーバー本体配列体とその背後側の第２のルーバー本体配列体のうちの少なくとも一方が他方に沿ってルーバー本体の長手方向と交叉方向に移動可能であり、該一方のルーバー本体配列体のルーバー本体が他方のルーバー本体同士の間隙に重なるように移動することにより、ルーバー本体同士の間隙が小さくなる。このため、前述の特開２００３−１４８０６７号公報のルーバー装置のように各ルーバー本体が傾斜姿勢となることによりルーバー本体同士の間隙が小さくなるタイプのルーバー装置と異なり、ルーバー本体同士の間に異物が入り込んでも支障なくルーバー本体同士の間隙を小さくすることができる。
【００１４】
本発明の一態様においては、ルーバー装置は、このルーバー本体配列体を移動させる移動装置として、ルーバー本体の長手方向と略直交方向に延在し、各ルーバー本体が取り付けられている棒状体と、該棒状体を移動させる移動用駆動装置とを備えている（請求項３）。この態様にあっては、ルーバー装置の構成を簡易なものとすることができる。
【００１５】
この移動用駆動装置としては、該棒状体の長手方向の両端部にそれぞれ設けられた雄ネジと、各雄ネジに対しそれぞれ螺合した雌ネジ部材と、該雌ネジ部材を回動させる回動装置とを備えたものが例示される（請求項４）。この移動用駆動装置は、高トルクにて棒状体を進退させることができる。
【００１６】
なお、この移動用駆動装置にあっては、回動装置が雌ネジ部材を回動させると、棒状体の両端部の雄ネジに沿って雌ネジ部材が螺進し、この雌ネジ部材の棒状体に対する該棒状体の長手方向への相対移動により、該棒状体が長手方向に移動する。この棒状体の移動に伴い、該棒状体に取り付けられたルーバー本体が移動する。
【００１７】
この態様においては、該棒状体に対し張力を与える張力付与機構が設けられることが好ましい（請求項５）。このように構成することにより、棒状体が撓んで各ルーバー本体がグラつくことが防止される。
【００１８】
本発明は、ルーバーが、長手方向を左右方向として互いに平行に上下多段のものに限らず、長手方向を上下方向として互いに平行に左右多段のものにも適用できる。
【発明を実施するための最良の形態】
【００１９】
以下、第１図〜第４図を参照して請求項１の実施の形態について説明する。
【００２０】
第１図（ａ）は請求項１の実施の形態に係るルーバー装置のルーバーが閉じた状態（全閉状態）を示す斜視図、第１図（ｂ）は同（ａ）のＢ−Ｂ線に沿う断面図、第２図（ａ）はこのルーバー装置のルーバーが開いた状態（全開状態）を示す斜視図、第２図（ｂ）は同（ａ）のＢ−Ｂ線に沿う断面図、第３図はルーバー本体回動用駆動装置の構成を示す縦断面図であり、第４図（ａ）〜（ｃ）は、この駆動装置によるルーバー開閉作動の説明図である。なお、以下の説明において、左右方向とは、建物の窓開口の外面に沿う方向をいう。
【００２１】
第１図（ａ）及び第２図（ａ）に示すように、建物１の窓開口２の上側及び下側の壁面からそれぞれ庇状の水平片４（４Ｊ，４Ｋ）が突設され、これらの水平片４Ｊ，４Ｋ間に、該窓開口２を覆いうるようにルーバー装置１０が設置されている。
【００２２】
このルーバー装置１０は、長手方向を上下方向として窓開口２の外面に沿って水平片４Ｊ，４Ｋ間に多列に配置されたルーバー本体１２と、各ルーバー本体１２に固設された支軸１４と、該支軸１４を介して各ルーバー本体１２を回動させる回動用駆動装置１６（第３図）とを備えている。
【００２３】
このルーバー本体１２は、第１図（ｂ）及び第２図（ｂ）に示すように、該ルーバー本体１２を長手方向に貫通する貫通孔１２Ａ〜１２Ｅを有した中空部材である。この実施の形態では、図示の通り、該ルーバー本体１２の長手方向と交叉方向の断面形状は薄厚の略長方形状となっており、該貫通孔１２Ａ〜１２Ｅは、この断面の長手方向（ルーバー本体１２の幅方向）に位置を異ならせて設けられている。この断面の長手方向の中間付近に設けられた貫通孔１２Ｃに前記支軸１４が挿通されている。
【００２４】
支軸１４の長さはルーバー本体１２の長さよりも大きく、この支軸１４は、該貫通孔１２Ｃを介してルーバー本体１２を長手方向に貫通し、その両端側が該ルーバー本体１２の長手方向の両端面から上下方向にそれぞれ延出している。なお、ルーバー本体１２の長手方向の両端面にそれぞれルーバー本体保持部材１４ａが取り付けられている。このルーバー本体保持部材１４ａは支軸１４に固設されており、このルーバー本体保持部材１４ａを介して支軸１４がルーバー本体１２に固定されている。
【００２５】
この実施の形態では、第３図に示すように、上側水平片４Ｊは中空箱状となっており、この上側水平片４Ｊの内部にルーバー本体回動用駆動装置１６が設置されている。この上側水平片４Ｊの下面部には、左右方向に所定間隔にて複数個（ルーバー本体１２の本数と同数個）の支軸挿通孔１８が設けられており、各ルーバー本体１２の支軸１４がこの支軸挿通孔１８を介して該上側水平片４Ｊの内部に挿通されている。符号２０はこの支軸挿通孔１８に装着されたカラー（軸受）を示している。
【００２６】
該上側水平片４Ｊの内部には、その下面部と所定間隔をおいて対峙する中間水平片２２が設けられている。この中間水平片２２には支軸保持孔２４が設けられており、各支軸１４の上端部がこの支軸保持孔２４内に回動可能に保持されている。符号２６はこの支軸保持孔２４に装着されたカラーを示し、符号１４ｂは、各支軸１４の該支軸保持孔２４からの抜け出しを阻止するストッパとしてのフランジ部を示している。
【００２７】
下側水平片４Ｋの上面部にも支軸保持孔（符号略）が設けられており、各支軸１４の下端部がこの下側水平片４Ｋの支軸保持孔内に回動可能に保持されている。符号２８（第１図（ａ）及び第２図（ａ））は、この支軸保持孔に装着されたカラーを示している。
【００２８】
この実施の形態では、駆動装置１６は、モータ３６と、該モータ３６の駆動軸３６ａに固着された駆動ギヤ３６ｂと、該駆動ギヤ３６ｂが噛合したラック３０と、各支軸１４に固着されており、それぞれ該ラック３０に噛合したピニオン３４とによって構成されている。
【００２９】
第３図に示すように、上側水平片４Ｊの下面部と前記中間水平片２２との間のスペースにラック３０が配置されている。このラック３０は、左右方向（水平方向）に延設され、且つ該左右方向に移動可能となっている。符号３２は、このラック３０を保持すると共に該ラック３０の左右方向への移動を案内するガイド部材を示している。
【００３０】
各支軸１４の上端側の途中部分（上側水平片４Ｊの下面部と中間水平片２２との間のスペースを通る部分）にピニオン３４が固着されており、各支軸１４のピニオン３４がそれぞれ該ラック３０に噛合している。これにより、各支軸１４（ルーバー本体１２）は、このラック３０が左右方向に移動するのに伴い、該ラック３０及びピニオン３４を介して互いに同調しつつ回動しうるようになっている。
【００３１】
中間水平片２２に、このラック３０を左右方向へ移動させる駆動動力源としてのモータ３６が設置されている。このモータ３６の駆動軸３６ａは、該中間水平片２２に設けられた駆動軸挿通孔３８を介して上側水平片４Ｊの下面部と該中間水平片２２との間のスペースを上下方向に横切るように延在している。この駆動軸３６ａに駆動ギヤ３６ｂが固着されており、この駆動ギヤ３６ｂがラック３０に噛合している。なお、この駆動軸３６ａの下端部は、上側水平片４Ｊの下面部に設けられた駆動軸保持孔４０内に回動可能に保持されている。符号４２，４４は該駆動軸挿通孔３８及び駆動軸保持孔４０に装着されたカラーを示し、符号３６ｃは、駆動軸３６ａの駆動軸保持孔４０からの抜け出しを阻止するストッパとしてのフランジ部を示している。
【００３２】
このモータ３６を作動させると、駆動軸３６ａを介して駆動ギヤ３６ｂが回動し、この駆動ギヤ３６ｂと噛合したラック３０が左右方向に移動する。これにより、第４図（ａ）から（ｃ）又は第４図（ｃ）から（ａ）のように、該ラック３０と噛合したピニオン３４を介して各支軸１４が互いに同調しつつ回動し、各ルーバー本体１２が開閉される。
【００３３】
このように構成されたルーバー装置１０にあっては、各ルーバー本体１２に固定された支軸１４を介して駆動装置１６により各ルーバー本体１２を回動させ得るようになっているので、各ルーバー本体１２を回動させるための連動棒や連結ピンなどが不要である。即ち、このルーバー装置１０は、比較的少ない部材点数で各ルーバー本体１２を回動させることができる。
【００３４】
次に、第５図〜第９図を参照して請求項２の実施の形態について説明する。
【００３５】
第５図（ａ）は請求項２の実施の形態に係るルーバー装置のルーバーが開いた状態（全開状態）を示す斜視図、第５図（ｂ）は同（ａ）のＢ−Ｂ線に沿う断面図、第６図（ａ）はこのルーバー装置のルーバーが閉じた状態（全閉状態）を示す斜視図、第６図（ｂ）は同（ａ）のＢ−Ｂ線に沿う断面図、第７図はルーバー本体移動用駆動装置のルーバー全開状態時の縦断面図、第８図はルーバー本体移動用駆動装置のルーバー全閉状態時の縦断面図であり、第９図はルーバー本体移動用駆動装置の要部斜視図である。
【００３６】
この実施の形態でも、第５図（ａ）及び第６図（ａ）に示すように、建物１の窓開口２の上側及び下側の壁面からそれぞれ庇状の水平片４（４Ｊ，４Ｋ）が突設され、これらの水平片４Ｊ，４Ｋ間に、該窓開口２を覆いうるようにルーバー装置５０が設置されている。
【００３７】
この実施の形態では、該ルーバー装置５０は、複数本のルーバー本体５２が長手方向を左右方向（窓開口２に沿う方向）として上下に所定間隔をあけて多段に配列されてなる第１のルーバー本体配列体５４と、該第１のルーバー本体配列体５４の背後側（窓開口２側）において、複数本のルーバー本体５２が長手方向を左右方向として上下に所定の間隔をあけて多段に配列されてなり、該第１のルーバー本体配列体５４に沿って上下方向に移動可能に配置された第２のルーバー本体配列体５６と、該第２のルーバー本体配列体５６を第１のルーバー本体配列体５４に沿って上下方向に移動させるルーバー本体配列体移動用駆動装置５８（５８Ｊ，５８Ｋ）とを備えている。
【００３８】
この実施の形態では、上側水平片４Ｊ及び下側水平片４Ｋはそれぞれ中空箱状となっており、これらの水平片４Ｊ，４Ｋの内部にそれぞれ上側及び下側のルーバー本体配列体移動用駆動装置５８Ｊ，５８Ｋが設置されている。
【００３９】
第１のルーバー本体配列体５４は、上下方向に延在しており、上側及び下側の各水平片４Ｊ，４Ｋに固定された複数本の棒状の支柱６０を備えている。各支柱６０は、左右方向にルーバー本体５２の長さと同等かそれよりも若干大きい間隔をあけて配列されており、隣り合う支柱６０，６０間に、それぞれ、複数本のルーバー本体５２が長手方向を左右方向として上下に多段に配列されている。
【００４０】
各支柱６０には、上下方向に所定の間隔をあけてルーバー本体５２の本数（上下方向に配列される本数）と同数個のルーバー本体取付部材（図示略）が設けられており、このルーバー本体取付部材を介して各ルーバー本体５２の両端部がそれぞれ支柱６０に固定されている。この実施の形態では、上段側のルーバー本体５２と下段側のルーバー本体５２との間隔は、各ルーバー本体５２の上下幅と同等かそれよりも若干大きいものとなっている。また、各支柱６０を挟んで左右に隣り合うルーバー本体５２，５２同士は、互いに左右方向に一直線状に連続する如く配置されている。
【００４１】
第７図及び第８図に示すように、各支柱６０の上端側及び下端側にそれぞれ雄ネジ６０Ｊ，６０Ｋが設けられており、上側水平片４Ｊの下面部と下側水平片４Ｋの上面部とに設けられた支柱保持孔６２Ｊ，６２Ｋにこれらの雄ネジ６０Ｊ，６０Ｋがそれぞれ挿通され、該上側水平片４Ｊ及び下側水平片４Ｋ内においてそれぞれナット６４締めされている。
【００４２】
なお、この実施の形態では、各支柱６０の下端側はスリーブ６６を介して支柱保持孔６２Ｋ内に挿通されている。このスリーブ６６は、該支柱保持孔６２Ｋに対し挿抜方向摺動自在に内嵌しており、気温の変化によって支柱６０が長手方向に伸長したり収縮した場合には、この支柱６０の長さの変化に応じてスリーブ６６が該支柱保持孔６２Ｋ内を挿抜方向に摺動してこの支柱６０の長さの変化を吸収するようになっている。
【００４３】
第２のルーバー本体配列体５６は、上側及び下側の各水平片４Ｊ，４Ｋ間において上下方向に延在した複数本の棒状体としてのロッド７０を備えている。各ロッド７０は、左右方向に前述の各支柱６０と同等の間隔をあけて配列されており、隣り合うロッド７０，７０同士の間に、それぞれ、複数本のルーバー本体５２が長手方向を左右方向として上下に多段に配列されている。なお、この実施の形態では、第１のルーバー本体配列体５４において上下方向に配列されるルーバー本体５２の本数と第２のルーバー本体５６において上下方向に配列されるルーバー本体５２の本数とは同数とされている。
【００４４】
各ロッド７０と各支柱６０とは、水平片４（４Ｊ，４Ｋ）の建物壁面からの突出方向において横並び状且つ互いに平行に延在するように配置されている。
【００４５】
各ロッド７０にも、各支柱６０と同様、上下方向に所定の間隔をあけてルーバー本体５２の本数（上下方向に配列される本数）と同数個のルーバー本体取付部材（図示略）が設けられており、このルーバー本体取付部材を介して各ルーバー本体５２の両端部がそれぞれロッド７０に固定されている。この第２のルーバー本体配列体５６においても、上段側のルーバー本体５２と下段側のルーバー本体５２との間隔は、各ルーバー本体５２の上下幅と同等かそれよりも若干大きいものとなっている。また、各ロッド７０を挟んで左右に隣り合うルーバー本体５２，５２同士は、互いに左右方向に一直線状に連続する如く配置されている。
【００４６】
上側水平片４Ｊの下面側と下側水平片４Ｋの上面部とには、各ロッド７０の上端側と下端側とがそれぞれ挿通されるロッド挿通孔７２Ｊ，７２Ｋが設けられている。各ロッド挿通孔７２Ｊ，７２Ｋの周縁部からは、該上側水平片４Ｊ及び下側水平片４Ｋの内部側に向ってそれぞれロッドガイドコラム７４Ｊ，７４Ｋが立設されている。
【００４７】
該上側水平片４Ｊの内部には、その下面部と所定の間隔をあけて対峙する中間水平片７６Ｊが設けられており、該ロッドガイドコラム７４Ｊの上端部は、この中間水平片７６Ｊに連なり、該中間水平片７６Ｊの上方スペースに開放している。また、下側水平片４Ｋの内部にも、その上面部と所定の間隔をあけて対峙する中間水平片７６Ｋが設けられており、下側のロッドガイドコラム７４Ｋの下端部は、この中間水平片７６Ｋに連なり、該中間水平片７６Ｋの下方スペースに開放している。
【００４８】
各ロッド７０の上端側は、これらのロッド挿通孔７２Ｊ及びロッドガイドコラム７４Ｊを介して上側水平片４Ｊの内部（中間水平片７６Ｊの上方スペース）に挿通されている。また、各ロッド７０の下端側は、ロッド挿通孔７２Ｋ及びロッドガイドコラム７４Ｋを介して下側水平片４Ｋの内部（中間水平片７６Ｋの下方スペース）に挿通されている。符号７８Ｊ，７８Ｋは、各ロッドガイドコラム７４Ｊ，７４Ｋにそれぞれ嵌装されたカラーを示している。
【００４９】
各ロッド７０の上端側及び下端側には、それぞれ、所定長さにわたって雄ネジ７０Ｊ，７０Ｋが設けられている。これらの雄ネジ７０Ｊ，７０Ｋは、それぞれ、該中間水平片７６Ｊの上方スペース及び中間水平片７６Ｋの下方スペースに配置されている。
【００５０】
これらの上側水平片４Ｊ内における中間水平片７６Ｊの上方スペース及び下側水平片４Ｋ内における中間水平片７６Ｋの下方スペースに、それぞれ、ルーバー本体配列体（ロッド）移動用駆動装置５８Ｊ，５８Ｋが設置されている。
【００５１】
各駆動装置５８Ｊ，５８Ｋは、それぞれ、各ロッド７０の上端側及び下端側の各雄ネジ７０Ｊ，７０Ｋに螺合した雌ネジ部材としての螺進ギヤ８０Ｊ，８０Ｋと、該螺進ギヤ８０Ｊ，８０Ｋと螺合した駆動ギヤ８２Ｊ，８２Ｋと、駆動軸８４ａを介して該駆動ギヤ８２Ｊ，８２Ｋを回動駆動させるモータ８４Ｊ，８４Ｋとを備えている。符号８６Ｊ，８６Ｋは、それぞれ、これらの雄ネジ７０Ｊ，７０Ｋ、螺進ギヤ８０Ｊ，８０Ｋ及び駆動ギヤ８２Ｊ，８２Ｋを収容したギヤボックスを示している。
【００５２】
該螺進ギヤ８０Ｊ，８０Ｋは、中心部に雌ネジ孔８０ａ（第９図）を有し、外周面にギヤ歯（符号略）を有した円盤形ギヤである。この螺進ギヤ８０Ｊ，８０Ｋの中心部の雌ネジ孔８０ａにロッド７０の雄ネジ７０Ｊ，７０Ｋが螺合し、外周面のギヤ歯に駆動ギヤ８２Ｊ，８２Ｋが螺合している。各螺進ギヤ８０Ｊ，８０Ｋは、各中間水平片７６Ｊ，７６Ｋに対し、雄ネジ７０Ｊ，７０Ｋの軸心線方向には変位しないよう設置されている。
【００５３】
上側及び下側の双方の駆動装置５８Ｊ，５８Ｋのモータ８４Ｊ，８４Ｋが作動すると、駆動ギヤ８２Ｊ，８２Ｋを介して各螺進ギヤ８０Ｊ，８０Ｋが回転駆動され、各螺進ギヤ８０Ｊ，８０Ｋが雄ネジ７０Ｊ，７０Ｋに沿ってそれぞれロッド７０の長手方向（上下方向）に螺進する。そして、この各螺進ギヤ８０Ｊ，８０Ｋのロッド７０に対する相対的な上下方向への移動に伴い、ロッド７０が上下方向に移動（進退）する。
【００５４】
このようにロッド７０が上下方向に進退することにより、第２ルーバー本体配列体５６の各ルーバー本体５２が、第１ルーバー本体配列体５４の上下のルーバー本体５２，５２同士の間の間隙に重なる位置と、該第１のルーバー本体配列体５４の各ルーバー本体５２の背後に重なる位置（該間隙から退避した位置）との間を上下に平行移動し、ルーバーが開閉される。
【００５５】
なお、この実施の形態では、下側駆動装置５８Ｋに、各ロッド７０に生じる張力を検出するためのロードセル８８が設けられている。このルーバー装置５０においては、該下側駆動装置５８Ｋは、このロードセル８８によって検出された張力が所定値となるように、上側駆動装置５８Ｊとは個別に作動制御される。
【００５６】
即ち、このロードセル８８によって検出された張力が所定値を下回った場合には、螺進ギヤ８０Ｋが雄ネジ７０Ｋに沿って上方に螺進するように下側駆動装置５８Ｋのモータ８４Ｋを作動させ、この螺進ギヤ８０Ｋのロッド７０に対する上方への相対移動により、該ロッド７０の下端側を下方移動させる。この際、上側の駆動装置５８Ｊのモータ８４Ｊは作動されない。これにより、該ロッド７０の上端側と下端側とが離反方向に引張られ、該ロッド７０に作用する張力が所定値まで増大する。
【００５７】
また、ロードセル８８によって検出された張力が所定値を超えた場合には、螺進ギヤ８０Ｋが雄ネジ７０Ｋに沿って下方に螺進するように下側駆動装置５８Ｋのモータ８４Ｋを作動させ、この螺進ギヤ８０Ｋのロッド７０に対する下方への相対移動により、該ロッド７０の下端側を上方移動させる。この場合にも、上側の駆動装置５８Ｊのモータ８４Ｊは作動されず、これにより、該ロッド７０の上端側と下端側とが接近して該ロッド７０に作用する張力が所定値まで緩和される。
【００５８】
このように作動制御されることにより、各ロッド７０には、常時一定の張力が生じるようになる。
【００５９】
従って、このルーバー装置５０においては、該下側駆動装置５８Ｋが、ロッド７０に対し張力を与える張力付与機構となっている。また、このルーバー装置５０においては、上記の如く該下側駆動装置５８Ｋによってロッド７０の下端側を上下動させてロッド７０に生じる張力を調節するようになっているため、気温の変化によってロッド７０が長手方向に伸長又は収縮した場合でも、このロッド７０の長さの変化を吸収することができる。
【００６０】
このように構成されたルーバー装置５０にあっては、第１のルーバー本体配列体５４の背後側に配置された第２のルーバー本体配列体５６が該第１のルーバー本体配列体５４に沿って上下方向に移動可能となっており、該第２のルーバー本体配列体５６のルーバー本体５２が第１のルーバー本体配列体５４の上下のルーバー本体５２，５２同士の間隙に重なるように移動することにより、ルーバー本体５２同士の間隙が小さくなる。このため、ルーバー本体５２同士の間に異物が入り込んでも支障なくルーバー本体５２同士の間隙を小さくすることができる。
【００６１】
この実施の形態においては、下側駆動装置５８Ｋにより、各ルーバー本体５２が取り付けられたロッド７０に対し常時所定の張力が与えられるようになっているので、ロッド７０が撓んで各ルーバー本体５２がグラつくことが防止される。
【００６２】
上記の各実施の形態は本発明の一例を示すものであり、本発明は上記の各実施の形態に限定されるものではない。
【００６３】
例えば、上記の第５〜９図の実施の形態では、ロッド７０に生じる張力を検出するためにロードセル８８を用いているが、この張力検出手段はこれに限定されるものではなく、例えば歪センサ等を用いてもよい。
【図面の簡単な説明】
【００６４】
【図１】実施の形態に係るルーバー装置のルーバーが閉じた状態の説明図である。
【図２】図１のルーバー装置のルーバーが開いた状態の説明図である。
【図３】図１のルーバー装置のルーバー本体回動用駆動装置の構成を示す縦断面図である。
【図４】図３の駆動装置によるルーバー開閉作動の説明図である。
【図５】別の実施の形態に係るルーバー装置のルーバーが開いた状態の説明図である。
【図６】図５のルーバー装置のルーバーが閉じた状態の説明図である。
【図７】図５のルーバー装置のルーバー本体移動用駆動装置のルーバー全開状態時の縦断面図である。
【図８】図５のルーバー装置のルーバー本体移動用駆動装置のルーバー全閉状態時の縦断面図である。
【図９】図７，８のルーバー本体移動用駆動装置の要部斜視図である。
【符号の説明】
【００６５】
１  建物
２  窓開口
４（４Ｊ，４Ｋ）  水平片
１０，５０  ルーバー装置
１２，５２  ルーバー本体
１４  支軸
１６  ルーバー本体回動用駆動装置
３０  ラック
３４  ピニオン
３６  モータ
３６ｂ  駆動ギヤ
５４  第１のルーバー本体配列体
５６  第２のルーバー本体配列体
５８（５８Ｊ，５８Ｋ）  ルーバー本体配列体移動用駆動装置
６０  支柱
７０  ロッド
７０Ｊ，７０Ｋ  雄ネジ
８０Ｊ，８０Ｋ  螺進ギヤ
８２Ｊ，８２Ｋ  駆動ギヤ
８４Ｊ，８４Ｋ  モータ
８８  ロードセル
【図１】
2005213978.tif 000003
【図２】
2005213978.tif 000004
【図３】
2005213978.tif 000005
【図４】
2005213978.tif 000006
【図５】
2005213978.tif 000007
【図６】
2005213978.tif 000008
【図７】
2005213978.tif 000009
【図８】
2005213978.tif 000010
【図９】
2005213978.tif 000011